(57)【要約】 【課題】  停電等によって直流電流の供給が遮断されても保護回路より電流供給を行うことでデバイスの保護を充分計り得る機能性が高く、小型の電動ファンを供給すること。【解決手段】  直流電流にて駆動する電動ファンにおいて、主電源の他に前記ファンに電流供給を行うエネルギー供給源として電気二重層コンデンサ１５を備え、前記電気二重層コンデンサ１５が電動ファン１１の本体と一体配置されたことを特徴とする電動ファン。【選択図】  図２
2005057882.tif 000002
【特許請求の範囲】
【請求項１】
直流電流にて駆動する電動ファンにおいて、電流供給を行うエネルギー供給源として電気二重層コンデンサを備え、前記電気二重層コンデンサが電動ファンの本体と一体配置されたことを特徴とする電動ファン。
【請求項２】
電気二重層コンデンサが電動ファンの非可動部で、かつ空気の流れを塞がない位置に配置されていることを特徴とする請求項１記載の電動ファン。
【請求項３】
前記電気二重層コンデンサがラミネートフィルムを外装部材として有し、内部にコンデンサ素子が封入されていることを特徴とする請求項１または２記載の電動ファン。
【発明の詳細な説明】
【技術分野】
【０００１】
本発明は、電動ファンに関する。
【背景技術】
【０００２】
近年、電子装置の小型化高密度実装化に伴い、電子部品の信頼性向上の手段として、電動ファンによる強制空冷方式が多く採用されるようになっている。例えば、主として会議、説明会等で汎用的に利用されるＯＨＰプロジェクタやデジタルプロジェクタ等のプロジェクタ（投影機）では、筐体内部に投影用ランプによって生じた多量の熱が籠もるため、電動ファンを用いて筐体内部の熱を筐体外部に吐出するようになっている。この電動ファンは、プロジェクタの運転スイッチをオンにしている間は駆動し続ける。また、使用停止時に運転スイッチをオフにすると保護回路のタイマーが動作を開始し、所定時間は電動ファンに電流を供給し、所定時間到達後電動ファンの駆動が止まるようになっている。
【０００３】
しかし、この様なプロジェクタでは、使用直後のコンセントの引き抜きや使用中に急な停電が起きた場合、上記保護回路が作動せずに電動ファンの駆動が即座に停止し、プロジェクタの筐体内部に熱が籠もり、投影用ランプ切れが発生してしまう。このため、特許文献１では、図５に示す従来のプロジェクタ内部の配置例のように、プロジェクタ７内部に電気二重層コンデンサ５を設置し、さらに、図６に示す従来のプロジェクタの電気回路の要部のように、保護回路を用いることで、急に電源供給が遮断されても電気二重層コンデンサ５からファンモータ２に電荷を供給し電動ファン１を駆動させるプロジェクタ７が提案されている。
【０００４】
【特許文献１】特開平１１−２３１４１９号公報
【発明の開示】
【発明が解決しようとする課題】
【０００５】
ただし、上記保護回路をプロジェクタに設置するためには、プロジェクタ内部に電気二重層コンデンサを配置する必要があり、この電気二重層コンデンサの配置分だけ筐体を大きくする必要がある。これは、プロジェクタだけでなく、電気二重層コンデンサを用いた保護回路を有する電動ファンすべてに共通している。しかしながら、製品の更なる軽薄短小が市場要求であり、製品容積の増加は市場の小型要求に逆行することである。
【０００６】
本発明は、このような従来技術の有する課題に鑑みてなされたものであり、その技術的課題は、停電等によって直流電流の供給が遮断されても保護回路より電流供給を行うことでデバイスの保護を充分計り得る機能性が高く、小型の電動ファンを供給することにある。
【課題を解決するための手段】
【０００７】
本発明によれば、直流電流にて駆動する電動ファンにおいて、主電源の他に前記ファンに電流供給を行うエネルギー供給源として電気二重層コンデンサを備え、前記電気二重層コンデンサが電動ファンの本体に一体配置されたことを特徴とする電動ファンが提供される。
【０００８】
また、本発明では、電気二重層コンデンサが電動ファンの非可動部で、かつ空気の流れを塞がない位置に配置されていることが重要である。
【０００９】
更に、本発明では、ラミネートフィルムを外装部材として有し、内部にコンデンサ素子が封入されている薄型電気二重層コンデンサを用いることが好ましい。
【発明の効果】
【００１０】
本発明によれば、急なコンセントの引き抜きや使用中の停電が起きても電気二重層コンデンサから電流供給がなされるため、電動モータの駆動が可能となり、装置および部品への熱負担が大幅に軽減され、メンテナンスの回数や負担を軽減することが出きる。
【００１１】
また、電気二重層コンデンサが電動ファンの非可動部で、かつ空気の流れを塞がない位置に一体配置されていることで、空気の出し入れ能力を低下させることなく、電動ファンに電気二重層コンデンサを設置することができ、装置の体積を低減することが出きる。
【００１２】
さらに、ラミネートフィルムを外装部材として有し、内部にコンデンサ素子が封入されている電気二重層コンデンサを用いることで、コンデンサ本体をフレキシブルに変形することができるため、容易に電動ファンの非可動部に配置することが出来るものとなる。
【発明を実施するための最良の形態】
【００１３】
本発明の電動ファンは、直流電流にて駆動する電動ファンにおいて、主電源の他に前記ファンに電流供給を行うエネルギー供給源として電気二重層コンデンサを備え、前記電気二重層コンデンサが電動ファンの本体に一体配置されたものである。これにより急なコンセントの引き抜きや使用中の停電が起きても電気二重層コンデンサから電流供給がなされるため、電動モータの所定時間の駆動が可能となり、装置および部品への熱負担が大幅に軽減され、メンテナンスの回数や負担を軽減することが出きる。
【００１４】
ここで、本発明の電動モータの主な特徴は、電気二重層コンデンサの配置位置であり、電気二重層コンデンサが電動ファンの非可動部で、かつ空気の流れを塞がない位置に配置されていることである。これにより、空気の出し入れ能力を低下させることなく、電動ファンに電気二重層コンデンサを配置することができ、装置の体積を低減することが出きる。
【００１５】
また、上記電気二重層コンデンサは、ラミネートフィルムを外装部材として有し、内部にコンデンサ素子が封入されている電気二重層コンデンサを用いることが好ましい。従来の円筒型電気二重層コンデンサでは、外観が円筒状のため空間体積を有効に用いることが困難である。また、角型電気二重層コンデンサは円筒型より有効に空間体積を用いることが出来るが、金属ケースを用いているため、電動ファンの湾曲部分に一体配置することは困難である。しかしながら、電気二重層コンデンサの外装部材にラミネートフィルムを用いることで、コンデンサ本体を所定の形状で作製することが出き、さらに容易に積層することが出き、コンデンサをフレキシブルに変形可能なため、容易に電動ファンの湾曲部に配置することが出きる。
【００１６】
なお、電動ファンに設置された電気二重層コンデンサだけでは、ファンの稼動時間が少ない場合、従来のように電動ファンとは別位置に電気二重層コンデンサを追加することも可能である。この場合であっても、電動ファンとは別位置に配置される電気二重層コンデンサの体積は少なくする事ができ、装置の容積を低減することが出きる。
【実施例１】
【００１７】
以下に、プロジェクタを実施例に挙げて本発明を説明するが、これらの実施例に限定されるものではない。
【００１８】
図１は、本発明の一実施例に係るプロジェクタの電気回路における要部を示したものである。このプロジェクタにおいても、使用停止時に運転スイッチ１６のオフ状態で冷却ファンモータ１２ を所定時間駆動させて電動ファン１１を回転させることで筐体内部の熱放熱を行うデバイス保護回路を含む電気回路を備えている。
【００１９】
ここでのデバイス保護回路は、冷却ファンモータ１２と並列に接続され、使用時に蓄えた電荷を使用停止時の運転スイッチ１６ のオフ状態で冷却ファンモータ１２ へ供給する蓄電手段としての電気二重層コンデンサ１５ を含む構成となっている。又、ここでの電気回路は、運転スイッチ１６ の接触接点側に接続され、交流駆動電源を直流駆動電源に変換する直流コンバータ１３ を含んでおり、この直流コンバータ１３ に冷却ファンモータ１２ が接続されている。
【００２０】
これらの電気回路では、使用時に運転スイッチ１６をオンにする（入れる）と、投影用ランプ１４に電流が流れて投影用ランプ１４が点灯すると同時に直流コンバータ１３が交流駆動電源ＡＣ１００Ｖを直流電源１２Ｖに変換し、デバイス保護回路を備えるファンモータ１２が駆動され、これによって電動ファン１１が回転すると共に、電動ファンに一体配置された電気二重層コンデンサ１５に電荷が蓄えられる。
【００２１】
次に、こうした使用状態後に使用停止のため、運転スイッチ１６をオフにする（切る）と、投影用ランプ１４が消えると同時に直流コンバータ１３の出力（直流電源ＤＣ）が０Ｖになり、ファンモータ１２及び電気二重層コンデンサ１５に電流が流れなくなる。直流コンバータには逆流防止用ダイオードが組み込まれており（図１には表示せず）、電気二重層コンデンサ１５に蓄えられた電荷は直流コンバータに逆流することなくファンモータ１２に与えられ、ファンモータ１２が所定時間駆動を行い、電動ファン１１が回転し筐体内部の放熱を行う。
【００２２】
図２は、本発明の一実施例に係るプロジェクタ内部の配置例を示したものである。プロジェクタの電気回路の構成は、図１の実施例と図６の従来例がほぼ同じであるが、本発明の特徴は、図２に示されるように、電気二重層コンデンサ１５が電動ファン１１に一体配置されていることである。電気二重層コンデンサ１５を電動ファン１１の非可動部で、かつ空気の流れを塞がない位置に一体配置することで、図５の従来例の様に電動ファン１とは別位置に配置していた電気二重層コンデンサ５の実装面積を減らすことができ、結果としてプロジェクタ１７の小型化が可能となる。
【００２３】
電動ファンへの電気二重層コンデンサの配置例を図３を用いて説明する。図３のように、電動ファン１１のケース本体２１、空気吸入側フランジ２２、吐出側フランジ２３及びリブ２４によって囲まれた空隙部は電動ファン１１の非可動部で、かつ空気の流れを塞がない。この空隙部に電気二重層コンデンサ１５を一体配置すれば空間容積を有効に使用でき、結果としてプロジェクタ本体の体積を低減することが出きる。また、電動ファン１１のファンモータ１２部も同様な理由から電気二重層コンデンサ１５の一体配置個所として好適である。なお、２５はファン用羽根を示す。
【００２４】
また、上記電気二重層コンデンサ１５は、図４のようにラミネートフィルム３１を外装部材として有し、内部にコンデンサ素子３２が封入されている薄型電気二重層コンデンサを用いることで、コンデンサをフレキシブルに変形することができ、図２のように電動ファン１１の外周面の湾曲面にも容易に配置することが出来る。なお、図４において、３３は端子、３４は熱融着部、３５は熱融着樹脂、３６は集電体を示す。
【図面の簡単な説明】
【００２５】
【図１】本発明の一実施例に係るプロジェクタの電気回路における要部を示す図。
【図２】本発明の一実施例に係るプロジェクタ内部の配置例を示す図。
【図３】本発明の一実施例に係る電動ファンへの配置例を示す図。
【図４】本発明の一実施例に係る電気二重層コンデンサの平面透視図。
【図５】従来のプロジェクタ内部の配置例を示す図。
【図６】従来のプロジェクタの電気回路における要部を示す図。
【符号の説明】
【００２６】
１，１１    電動ファン  
２，１２    ファンモータ
３，１３    直流コンバータ  
４，１４    投影用ランプ
５，１５    電気二重層コンデンサ 
６，１６    スイッチ
７, １７    プロジェクタ
２１    ケース本体  
２２    空気吸入側フランジ  
２３    吐出側フランジ
２４    リブ  
２５    ファン用羽根
３１    ラミネートフィルム  
３２    コンデンサ素子  
３３    端子
３４    熱融着部   
３５    熱融着樹脂   
３６    集電体
【図１】
2005057882.tif 000003
【図２】
2005057882.tif 000004
【図３】
2005057882.tif 000005
【図４】
2005057882.tif 000006
【図５】
2005057882.tif 000007
【図６】
2005057882.tif 000008